(57)【要約】【課題】配管継手及び上流吸気管の少なくとも一方からブローバイガス管が外れているか否かを診断することができる内燃機関を提供すること。【解決手段】内燃機関１０は、上流吸気管５１及び配管継手６０に接続されるブローバイガス管６１と、下流吸気管５２と上流吸気管５１とに接続されるバイパス管５７と、バイパスバルブ５８と、診断処理部１０２とを備える。上流吸気管５１には、ブローバイガス管６１が接続される第１の接続部５１１と、バイパス管５７が接続される第２の接続部５１２とが設けられている。上流吸気管５１内と第１の接続部５１１内とを連通する連通部位５１３が、上流吸気管５１内と第２の接続部５１２内とを連通する連通部位５１４と対向している。診断処理部１０２は、バイパスバルブ５８の開弁時からの配管継手６０内の圧力の検出値の上昇量が判定上昇量未満であることを条件にブローバイガス管６１が外れていると診断する。【選択図】図１
2019196741.tif 000002
【特許請求の範囲】
【請求項１】
ヘッドカバー又はクランクケースに設けられている配管継手と、
過給器のコンプレッサよりも吸気上流に配置されている上流吸気管及び前記配管継手の双方に接続され、ブローバイガスを前記上流吸気管内に流入させるブローバイガス管と、
前記配管継手に接続され、同配管継手内の圧力を検出する圧力センサと、
前記コンプレッサよりも吸気下流に配置されている下流吸気管と前記上流吸気管とに接続され、前記コンプレッサをバイパスするバイパス管と、
前記バイパス管を介した前記上流吸気管内と前記下流吸気管内との連通を許容又は遮断すべく作動するバイパスバルブと、
前記配管継手及び前記上流吸気管の少なくとも一方から前記ブローバイガス管が外れているか否かを診断する診断処理部と、を備え、
前記上流吸気管には、前記ブローバイガス管が接続される第１の接続部と、前記バイパス管が接続される第２の接続部とが設けられており、前記上流吸気管内と前記第１の接続部内とを連通する連通部位と、前記上流吸気管内と前記第２の接続部内とを連通する連通部位とが互いに対向しており、
前記診断処理部は、前記コンプレッサによって圧縮された空気が前記下流吸気管内に供給されている状況下で前記バイパスバルブが開弁した場合、同バイパスバルブの開弁時からの前記圧力センサによる圧力の検出値の上昇量が判定上昇量未満であることを条件に前記配管継手及び前記上流吸気管の少なくとも一方から前記ブローバイガス管が外れていると診断する
内燃機関。
【請求項２】
前記下流吸気管内の圧力と大気圧との圧力差が判定圧力差以上であることを条件に、前記診断処理部による前記診断の実施を許可する許可判定部を備える
請求項１に記載の内燃機関。
【請求項３】
前記バイパスバルブが閉弁している状態が判定閉弁継続時間以上継続したことを条件に、前記診断処理部による前記診断の実施を許可する許可判定部を備える
請求項１に記載の内燃機関。
【請求項４】
前記診断処理部は、
前記コンプレッサによって圧縮された空気が前記下流吸気管内に供給されている状況下で前記バイパスバルブが開弁した場合、
同バイパスバルブが開弁している状態が判定開弁継続時間以上継続した際における同バイパスバルブの開弁時からの前記圧力センサによる圧力の検出値の上昇量を算出し、
当該上昇量が前記判定上昇量未満であることを条件に前記配管継手及び前記上流吸気管の少なくとも一方から前記ブローバイガス管が外れていると診断する
請求項１〜請求項３のうち何れか一項に記載の内燃機関。
【請求項５】
前記第１の接続部は、前記クランクケースよりも前記ヘッドカバーの近くに配置されており、
前記配管継手は、前記ヘッドカバーに設けられている
請求項１〜請求項４のうち何れか一項に記載の内燃機関。
【発明の詳細な説明】
【技術分野】
【０００１】
本発明は、過給器のコンプレッサよりも吸気上流に配置されている上流吸気管内にブローバイガスを流入させる機能を有する内燃機関に関する。
【背景技術】
【０００２】
特許文献１には、過給器を有する内燃機関の一例が記載されている。この内燃機関は、過給器のコンプレッサよりも吸気上流に配置されている上流吸気管内にブローバイガスを流入させるブローバイガス管と、ブローバイガス管内の圧力を検出する圧力センサとを備えている。ブローバイガス管の一端はクランクケースに接続されており、ブローバイガス管の他端は上流吸気管に接続されている。そのため、内燃機関のクランキング動作時にはブローバイガス管内の流体が上流吸気管内に吸引され、ブローバイガス管内の圧力が低下する。そこで、上記内燃機関では、クランキング動作時におけるブローバイガス管内の圧力の推移を圧力センサによって検出し、当該圧力の推移を基にクランクケース及び上流吸気管の少なくとも一方からブローバイガス管が外れているか否かの診断が行われるようになっている。
【先行技術文献】
【特許文献】
【０００３】
【特許文献１】米国特許第９０６８４８６号明細書
【発明の概要】
【発明が解決しようとする課題】
【０００４】
クランクケース及び上流吸気管からブローバイガス管が外れていないときに内燃機関でクランキング動作が行われた場合、ブローバイガス管内の圧力は低下する。しかし、場合によってはその低下量があまり大きくならないおそれがある。そのため、特許文献１に記載の内燃機関では、ブローバイガス管内の圧力の微少な低下を検知できるように、圧力センサとして分解能の高い圧力センサを採用することになる。
【課題を解決するための手段】
【０００５】
上記課題を解決するための内燃機関は、ヘッドカバー又はクランクケースに設けられている配管継手と、過給器のコンプレッサよりも吸気上流に配置されている上流吸気管及び配管継手の双方に接続され、ブローバイガスを上流吸気管内に流入させるブローバイガス管と、配管継手に接続され、同配管継手内の圧力を検出する圧力センサと、コンプレッサよりも吸気下流に配置されている下流吸気管と上流吸気管とに接続され、コンプレッサをバイパスするバイパス管と、バイパス管を介した上流吸気管内と下流吸気管内との連通を許容又は遮断すべく作動するバイパスバルブと、配管継手及び上流吸気管の少なくとも一方からブローバイガス管が外れているか否かを診断する診断処理部と、を備えている。この内燃機関において、上流吸気管には、ブローバイガス管が接続される第１の接続部と、バイパス管が接続される第２の接続部とが設けられている。上流吸気管内と第１の接続部内とを連通する連通部位と、上流吸気管内と第２の接続部内とを連通する連通部位とが互いに対向している。そして、診断処理部は、コンプレッサによって圧縮された空気が下流吸気管内に供給されている状況下でバイパスバルブが開弁した場合、同バイパスバルブの開弁時からの圧力センサによる圧力の検出値の上昇量が判定上昇量未満であることを条件に配管継手及び上流吸気管の少なくとも一方からブローバイガス管が外れていると診断する。
【０００６】
上記構成によれば、コンプレッサによって圧縮された空気である圧縮空気が下流吸気管内に供給されている状況下でバイパスバルブが開弁されると、下流吸気管内の圧縮空気がバイパス管及び第２の接続部を介して上流吸気管内に流入する。上流吸気管内と第２の接続部内とを連通する連通部位は、上流吸気管内と第１の接続部内とを連通する連通部位と対向している。そのため、バイパス管を介して上流吸気管内に流入した圧縮空気を、第１の接続部内に流入させることができる。このとき、配管継手及び上流吸気管からブローバイガス管が外れていない場合、圧縮空気がブローバイガス管を介して配管継手内に流入するため、配管継手に接続されている圧力センサによる圧力の検出値が上昇する。一方、配管継手及び上流吸気管の少なくとも一方からブローバイガス管が外れている場合、圧縮空気が配管継手内に到達することがほとんどないため、圧力センサによる圧力の検出値が上昇しない。
【０００７】
そこで、上記構成では、バイパスバルブの開弁に伴う上記圧力の検出値の上昇量が判定上昇量未満であったことを条件に、配管継手及び上流吸気管の少なくとも一方からブローバイガス管が外れていると診断されるようになっている。配管継手及び上流吸気管からブローバイガス管が外れていない場合、バイパスバルブが開弁すると、圧縮空気がブローバイガス管内及び配管継手内に流入するため、配管継手内の圧力が大幅に上昇する。そのため、分解能がそれほど高くないセンサを圧力センサとして採用した場合であっても、配管継手及び上流吸気管の少なくとも一方からブローバイガス管が外れているか否かを診断することができるようになる。
【０００８】
配管継手及び上流吸気管からブローバイガス管が外れていない状況下でバイパスバルブを開弁させた場合、下流吸気管内の圧力が高いほど、ブローバイガス管内及び配管継手内の圧力を上昇させやすい。そのため、上記内燃機関は、下流吸気管内の圧力と大気圧との圧力差が判定圧力差以上であることを条件に、診断処理部による上記診断の実施を許可する許可判定部を備えることが好ましい。
【０００９】
上記構成によれば、下流吸気管内の圧力と大気圧との圧力差が大きいときに、上記診断が実施されるようになる。すなわち、配管継手及び上流吸気管からブローバイガス管が外れていない場合にバイパスバルブの開弁に伴う圧力センサによる圧力の検出値の上昇量が大きくなりやすい状況下で、上記診断の実施が許可される。したがって、配管継手及び上流吸気管の少なくとも一方からブローバイガス管が外れていると誤った診断をしてしまうことを抑制できる。
【００１０】
バイパスバルブが閉弁した直後では、上記圧縮空気がブローバイガス管内及び配管継手内に流入していたことによる影響が未だ残っており、配管継手内の圧力が安定していないことがある。そして、配管継手内の圧力が安定していない状況下でバイパスバルブが開弁された場合に上記圧力の検出値の上昇量を算出すると、バイパスバルブの開弁直前における配管継手内の圧力の不安定さの影響により、当該上昇量があまり大きくならないおそれがある。つまり、配管継手及び上流吸気管からブローバイガス管が外れていないにも拘わらず、上昇量が判定上昇量以上にならないおそれがある。
【００１１】
なお、バイパスバルブが閉弁している状態が継続されていると、上記圧縮空気がブローバイガス管内及び配管継手内に流入したことによる影響が小さくなり、やがて配管継手内の圧力の不安定さは解消される。
【００１２】
そこで、上記内燃機関は、バイパスバルブが閉弁している状態が判定閉弁継続時間以上継続したことを条件に、診断処理部による上記診断の実施を許可する許可判定部を備えることが好ましい。この構成によれば、配管継手内の圧力が安定していないバイパスバルブの閉弁直後に上記診断が実施されることを抑制できる。そのため、配管継手及び上流吸気管の少なくとも一方からブローバイガス管が外れていると誤った診断をしてしまうことを抑制できる。
【００１３】
ところで、バイパスバルブが開弁されてから配管継手内の圧力が上昇し始めるまでには、ブローバイガス管内の容積に応じたタイムラグが生じる。そこで、内燃機関の一態様では、診断処理部は、コンプレッサによって圧縮された空気が下流吸気管内に供給されている状況下でバイパスバルブが開弁した場合、同バイパスバルブが開弁している状態が判定開弁継続時間以上継続した際における同バイパスバルブの開弁時からの圧力センサによる圧力の検出値の上昇量を算出する。そして、処理診断部は、当該上昇量が判定上昇量未満であることを条件に配管継手及び上流吸気管の少なくとも一方からブローバイガス管が外れていると診断する。
【００１４】
上記構成では、バイパスバルブが開弁している状態が判定開弁継続時間以上継続した場合における上記圧力の検出値の上昇量を用い、上記診断が実施される。そのため、タイムラグの影響により上記圧力の検出値が上昇し始めていないときに上記診断が実施されることを抑制できる。したがって、配管継手及び上流吸気管の少なくとも一方からブローバイガス管が外れていると誤った診断をしてしまうことを抑制できる。
【００１５】
なお、第１の接続部が、クランクケースよりもヘッドカバーの近くに配置されている場合、配管継手を、ヘッドカバーに設けるようにしてもよい。この構成によれば、配管継手を介してブローバイガス管をクランクケースに接続する場合と比較し、ブローバイガス管の長さを短くすることができる。その結果、ブローバイガス管内の容積が大きくなることを抑制できる分、上記タイムラグを小さくすることができる。
【図面の簡単な説明】
【００１６】
【図１】実施形態の内燃機関の概略を示す構成図。
【図２】同内燃機関の一部の断面と、上流吸気管にブローバイガス管及びバイパス管が接続されている状態とを示す図。
【図３】第１の接続部と第２の接続部との位置関係を示す断面図。
【図４】バイパスバルブを開弁させた際におけるタイミングチャート。
【図５】同内燃機関の許可判定部が実行する処理ルーチンを説明するフローチャート。
【図６】同内燃機関の診断処理部が実行する処理ルーチンを説明するフローチャート（前半部分）。
【図７】同内燃機関の診断処理部が実行する処理ルーチンを説明するフローチャート（後半部分）。
【図８】同内燃機関において、配管継手及び上流吸気管の少なくとも一方からブローバイガス管が外れているか否かの診断を実施する際のタイミングチャート。
【図９】変更例の内燃機関において、第１の接続部と第２の接続部との位置関係を示す断面図。
【図１０】変更例の内燃機関の概略を示す構成図。
【発明を実施するための形態】
【００１７】
以下、内燃機関の一実施形態を図１〜図８に従って説明する。
図１に示すように、本実施形態の内燃機関１０は、過給器１１を備えている。図２に示すように、内燃機関１０は、内部に複数の気筒２２が形成されているシリンダブロック２１と、シリンダブロック２１の下部に取り付けられているクランクケース２３とを備えている。クランクケース２３内にはクランク軸２４が収容されている。クランクケース２３には、内燃機関１０内を循環するオイルを貯留するオイルパン２５が取り付けられている。また、シリンダブロック２１の上部にはシリンダヘッド２６が取り付けられているとともに、シリンダヘッド２６にはヘッドカバー２７が取り付けられている。
【００１８】
各気筒２２内には、コネクティングロッド２８を介してクランク軸２４に連結されているピストン２９が収容されている。そして、各ピストン２９が気筒２２内で往復動することにより、クランク軸２４が回転するようになっている。
【００１９】
気筒２２の周壁、ピストン２９及びシリンダヘッド２６によって燃焼室３０が区画されている。各燃焼室３０内には内燃機関１０の吸気系５０から空気が導入される。そして、各燃焼室３０では、燃料噴射弁から噴射された燃料と空気とを含む混合気が燃焼される。混合気の燃焼によって各燃焼室３０内で生じた排気が内燃機関１０の排気系４０に排出される。
【００２０】
また、シリンダヘッド２６とヘッドカバー２７とによって区画される空間をカバー内空間２７Ａとした場合、内燃機関１０には、クランクケース２３内とカバー内空間２７Ａ内とを連通する連通路３１が設けられている。この連通路３１は、シリンダブロック２１とシリンダヘッド２６とに跨るように形成されている。そして、燃焼室３０からクランクケース２３内に漏出したブローバイガスが連通路３１を介してカバー内空間２７Ａ内に流入するようになっている。
【００２１】
図１に示すように、内燃機関１０の吸気系５０は、過給器１１のコンプレッサ１１１よりも吸気上流に配置されている上流吸気管５１と、コンプレッサ１１１よりも吸気下流に配置されている下流吸気管５２と、下流吸気管５２の下流端に接続されているスロットルボディ５３とを備えている。スロットルボディ５３内には、吸入空気量を調整すべく作動するスロットルバルブ５４が設けられている。そして、スロットルボディ５３内を通過した空気は、サージタンク５５及び吸気マニホールド５６を介して各燃焼室３０内に導入されるようになっている。
【００２２】
また、内燃機関１０の吸気系５０には、下流吸気管５２と上流吸気管５１とに接続され、且つ、コンプレッサ１１１をバイパスするバイパス管５７と、バイパス管５７を介した下流吸気管５２内と上流吸気管５１内との連通を許容又は遮断すべく作動するバイパスバルブ５８とが設けられている。バイパスバルブ５８は、バイパス管５７における下流吸気管５２側の端部内に配置されている。
【００２３】
図１及び図２に示すように、ヘッドカバー２７には配管継手６０が設けられている。この配管継手６０内は、ヘッドカバー２７に形成されている連通孔２７１を介してカバー内空間２７Ａと連通している。また、配管継手６０には、配管継手６０内の圧力を検出する圧力センサ８１が接続されている。圧力センサ８１は、大気圧を基準とした圧力であるゲージ圧を検出する。配管継手６０の先端部６０１には、ブローバイガス管６１が接続されている。このブローバイガス管６１内は、上流吸気管５１内と連通している。そのため、本実施形態の内燃機関１０では、カバー内空間２７Ａ内のブローバイガスを、配管継手６０及びブローバイガス管６１を介して上流吸気管５１内に流入させることができる。
【００２４】
上流吸気管５１には、ブローバイガス管６１との接続部である第１の接続部５１１と、バイパス管５７との接続部である第２の接続部５１２とが設けられている。すなわち、ブローバイガス管６１は、第１の接続部５１１を介して上流吸気管５１に接続されている。また、バイパス管５７は、第２の接続部５１２を介して上流吸気管５１に接続されている。なお、本実施形態では、第１の接続部５１１及び第２の接続部５１２は、クランクケース２３よりもヘッドカバー２７の近くにそれぞれ配置されている。
【００２５】
図２及び図３に示すように、第１の接続部５１１及び第２の接続部５１２は、上流吸気管５１の周壁から上流吸気管５１の中心軸５１ａと直交する方向にそれぞれ延伸している。そして、第１の接続部５１１及び第２の接続部５１２は、図３に破線で示す第１の接続部５１１の中心軸５１１ａを延長した場合に中心軸５１１ａが図３に二点鎖線で示す第２の接続部５１２の中心軸５１２ａと重なるように、それぞれ配置されている。そのため、上流吸気管５１内と第１の接続部５１１内とを連通する連通部位５１３と、上流吸気管５１内と第２の接続部５１２内とを連通する連通部位５１４とが互いに対向している。よって、コンプレッサ１１１によって圧縮された空気である圧縮空気が下流吸気管５２に供給されている状況下でバイパスバルブ５８が開弁され、下流吸気管５２内の圧縮空気がバイパス管５７を介して上流吸気管５１内に流入したときに、バイパス管５７内から上流吸気管５１内に流入した圧縮空気が、第２の接続部５１２及びブローバイガス管６１を介して配管継手６０内に流入する。その結果、配管継手６０内の圧力が上昇する。
【００２６】
すなわち、図４に示すように、バイパスバルブ５８が開弁するタイミングｔ１１からバイパスバルブ５８が閉弁するタイミングｔ１３までの期間では、下流吸気管５２内の圧縮空気がバイパス管５７を介して上流吸気管５１内に還流している。そのため、当該期間では、下流吸気管５２内の圧力である過給圧Ｐｂが低下し、且つ、圧力センサ８１によって検出される圧力である圧力検出値Ｐｐｓｖが変動する。具体的には、タイミングｔ１１からタイミングｔ１２までは圧力検出値Ｐｐｓｖが上昇する。タイミングｔ１２以降では、過給圧Ｐｂの低下に応じて圧力検出値Ｐｐｓｖもまた低下するようになる。
【００２７】
なお、バイパスバルブ５８が開弁するタイミングｔ１１から圧力検出値Ｐｐｓｖが最大となるタイミングｔ１２までの時間の長さは、ブローバイガス管６１内の容積が大きいほど長くなる。
【００２８】
配管継手６０及び上流吸気管５１の少なくとも一方からブローバイガス管６１が外れてしまうことがある。この場合、バイパスバルブ５８が開弁して下流吸気管５２内の圧縮空気がバイパス管５７を介して上流吸気管５１内に流入しても、上流吸気管５１内に流入した圧縮空気が配管継手６０内までほとんど到達しない。そのため、配管継手６０内の圧力が上昇しない。すなわち、圧力検出値Ｐｐｓｖが上昇しない。
【００２９】
次に、図１を参照し、内燃機関１０の制御構成について説明する。
内燃機関１０の制御装置１００には、圧力センサ８１の他、過給圧センサ８２、大気圧センサ８３及びアクセル開度センサ８４などの各種のセンサから信号が入力される。過給圧センサ８２は、下流吸気管５２内の絶対圧を過給圧Ｐｂとして検出し、検出した過給圧Ｐｂに応じた信号を出力する。大気圧センサ８３は、大気圧Ｐａを検出し、検出した大気圧Ｐａに応じた信号を出力する。アクセル開度センサ８４は、車両の運転者のアクセルペダル９０の操作量ＡＣＣＰを検出し、検出した操作量ＡＣＣＰに応じた信号を出力する。そして、制御装置１００は、各種のセンサ８１〜８４の出力信号を基に各種の制御を実施する。
【００３０】
制御装置１００は、機能部として、運転制御部１０１、診断処理部１０２及び許可判定部１０３を有している。
運転制御部１０１は、機関運転時におけるスロットルバルブ５４の開度の制御、及び、燃料噴射弁の制御を実施する。また、運転制御部１０１は、バイパスバルブ５８を開弁させる制御、及び、バイパスバルブ５８を閉弁させる制御も実施する。
【００３１】
診断処理部１０２は、バイパスバルブ５８が開弁しているときに圧力センサ８１によって検出される圧力、すなわち圧力検出値Ｐｐｓｖの上昇量を基に、配管継手６０及び上流吸気管５１の少なくとも一方からブローバイガス管６１が外れているか否かを診断する。
【００３２】
許可判定部１０３は、後述する所定の許可条件が成立しているか否かを判定し、許可条件が成立していると判定したときに診断処理部１０２による上記診断の実施を許可する。
次に、図５を参照し、許可判定部１０３が実行する処理ルーチンについて説明する。本処理ルーチンは、バイパスバルブ５８が閉弁している場合に所定の制御サイクル毎に繰り返し実行される。
【００３３】
本処理ルーチンにおいて、許可判定部１０３は、過給圧Ｐｂと大気圧Ｐａとの差を圧力差ΔＰとして算出する（Ｓ１１）。続いて、許可判定部１０３は、算出した圧力差ΔＰが判定圧力差ΔＰＴｈよりも大きいか否かを判定する（Ｓ１２）。判定圧力差ΔＰＴｈは、下流吸気管５２内と上流吸気管５１内との差圧が大きいか否かの判断基準として設定されている。そして、圧力差ΔＰが判定圧力差ΔＰＴｈ以下である場合（Ｓ１２：ＮＯ）、許可判定部１０３は、その処理を後述するステップＳ１８に移行する。
【００３４】
一方、圧力差ΔＰが判定圧力差ΔＰＴｈよりも大きい場合（Ｓ１２：ＹＥＳ）、許可判定部１０３は、バイパスバルブ５８が閉弁している状態の継続時間である閉弁継続時間ＴＭｃを取得する（Ｓ１３）。閉弁継続時間ＴＭｃの計測は、開弁していたバイパスバルブ５８が閉弁されると開始される。ステップＳ１３では、閉弁継続時間ＴＭｃの最新値が取得される。なお、閉弁継続時間ＴＭｃは、バイパスバルブ５８が開弁されると「０」にリセットされる。
【００３５】
そして、許可判定部１０３は、取得した閉弁継続時間ＴＭｃが判定閉弁継続時間ＴＭｃＴｈを越えているか否かを判定する（Ｓ１４）。閉弁継続時間ＴＭｃが短い場合、バイパスバルブ５８が前回に開弁されたときの影響が配管継手６０内の圧力に未だ残っており、圧力検出値Ｐｐｓｖが安定していないおそれがある。そのため、判定閉弁継続時間ＴＭｃＴｈは、圧力検出値Ｐｐｓｖが安定しているか否かの判断基準として設定されている。すなわち、閉弁継続時間ＴＭｃが判定閉弁継続時間ＴＭｃＴｈを越えている場合は、圧力検出値Ｐｐｓｖが安定していると判定する。一方、閉弁継続時間ＴＭｃが判定閉弁継続時間ＴＭｃＴｈ以下である場合、圧力検出値Ｐｐｓｖが安定しているとの判定がなされない。
【００３６】
そして、閉弁継続時間ＴＭｃが判定閉弁継続時間ＴＭｃＴｈ以下である場合（Ｓ１４：ＮＯ）、許可判定部１０３は、その処理を次のステップＳ１８に移行する。一方、閉弁継続時間ＴＭｃが判定閉弁継続時間ＴＭｃＴｈを越えている場合（Ｓ１４：ＹＥＳ）、許可判定部１０３は、過給圧Ｐｂが判定過給圧ＰｂＴｈ以上である状態の継続時間である過給大継続時間ＴＭｂを取得する（Ｓ１５）。判定過給圧ＰｂＴｈは、過給器１１の駆動によって下流吸気管５２内の圧力である過給圧Ｐｂがある程度高くなったか否かの判断基準として設定されている。過給大継続時間ＴＭｂの計測は、過給圧Ｐｂが判定過給圧ＰｂＴｈに達すると開始される。ステップＳ１５では、過給大継続時間ＴＭｂの最新値が取得される。なお、過給大継続時間ＴＭｂは、過給圧Ｐｂが判定過給圧ＰｂＴｈ未満になると「０」にリセットされる。
【００３７】
続いて、許可判定部１０３は、取得した過給大継続時間ＴＭｂが判定過給大継続時間ＴＭｂＴｈ以上であるか否かを判定する（Ｓ１６）。過給大継続時間ＴＭｂが短い場合、バイパスバルブ５８を開弁させて圧縮空気をバイパス管５７を介して上流吸気管５１内に流入させると、過給圧Ｐｂが大気圧Ｐａ近傍まで直ぐに低くなるおそれがある。この場合、配管継手６０及び上流吸気管５１の双方にブローバイガス管６１が接続されていたとしても、配管継手６０内の圧力、すなわち圧力検出値Ｐｐｓｖが十分に上昇しないおそれがある。そこで、判定過給大継続時間ＴＭｂＴｈは、バイパスバルブ５８を開弁させることにより、圧力検出値Ｐｐｓｖを十分に上昇させることができるか否かの判定基準として設定されている。
【００３８】
ステップＳ１６において、過給大継続時間ＴＭｂが判定過給大継続時間ＴＭｂＴｈ以上である場合（ＹＥＳ）、許可判定部１０３は、上記所定の許可条件が成立していると判断する。すなわち、許可判定部１０３は、圧力差ΔＰが判定圧力差ΔＰＴｈよりも大きく、且つ、閉弁継続時間ＴＭｃが判定閉弁継続時間ＴＭｃＴｈを越えており、且つ、過給大継続時間ＴＭｂが判定過給大継続時間ＴＭｃＴｈ以上であるときに、所定の許可条件が成立していると判定する。そして、許可判定部１０３は、診断許可フラグＦＬＧにオンをセットし（Ｓ１７）、その後、本処理ルーチンを一旦終了する。一方、過給大継続時間ＴＭｂが判定過給大継続時間ＴＭｂＴｈ未満である場合（ＮＯ）、許可判定部１０３は、その処理を次のステップＳ１８に移行する。
【００３９】
ステップＳ１８において、許可判定部１０３は、上記所定の許可条件が成立していないと判断し、診断許可フラグＦＬＧにオフをセットする。その後、許可判定部１０３は、本処理ルーチンを一旦終了する。
【００４０】
次に、図６及び図７を参照し、診断処理部１０２が実行する処理ルーチンについて説明する。本処理ルーチンは、繰り返し実行される。ただし、配管継手６０及び上流吸気管５１からブローバイガス管６１が外れていないと診断されたり、配管継手６０及び上流吸気管５１の少なくとも一方からブローバイガス管６１が外れていると診断されたりすると、本処理ルーチンは実行されなくなる。
【００４１】
本処理ルーチンにおいて、診断処理部１０２は、バイパスバルブ５８が開弁しているか否かを判定する（Ｓ２１）。バイパスバルブ５８が閉弁している場合（Ｓ２１：ＮＯ）、診断処理部１０２は、本処理ルーチンを一旦終了する。一方、バイパスバルブ５８が開弁している場合（Ｓ２１：ＹＥＳ）、診断処理部１０２は、診断許可フラグＦＬＧにオンがセットされているか否かを判定する（Ｓ２２）。診断許可フラグＦＬＧにオフがセットされている場合には、診断の実施が許可されているとの判定がなされない。そのため、診断許可フラグＦＬＧにオフがセットされている場合（Ｓ２２：ＮＯ）、診断処理部１０２は、本処理ルーチンを一旦終了する。
【００４２】
一方、診断許可フラグＦＬＧにオンがセットされている場合は、診断の実施が許可されていると判定する。すなわち、診断許可フラグＦＬＧにオンがセットされている場合、バイパスバルブ５８が開弁されることを契機に、ステップＳ２３以降の各処理が実施されることとなる。診断許可フラグＦＬＧにオンがセットされている場合（Ｓ２２：ＹＥＳ）、診断処理部１０２は、現時点の圧力検出値Ｐｐｓｖを基準圧力Ｐｂａｓｅとして取得する（Ｓ２３）。そして、診断処理部１０２は、最大圧力Ｐｍａｘを更新する（Ｓ２４）。具体的には、診断処理部１０２は、この更新にあたっては、記憶されている最大圧力Ｐｍａｘと、圧力検出値Ｐｐｓｖの最新値とのうち、大きい方の値を新たな最大圧力Ｐｍａｘとする。上述したように圧力検出値Ｐｐｓｖはゲージ圧であり、最大圧力Ｐｍａｘの初期値は大気圧に相当する「０」になっている。
【００４３】
続いて、診断処理部１０２は、最大圧力Ｐｍａｘと基準圧力Ｐｂａｓｅとの差を圧力上昇量ＤＰｐｓｖとして算出する（Ｓ２５）。この圧力上昇量ＤＰｐｓｖが、バイパスバルブ５８の開弁時からの圧力検出値Ｐｐｓｖの上昇量に相当する。そして、診断処理部１０２は、バイパスバルブ５８が開弁している状態の継続時間である開弁継続時間ＴＭｏを取得する（Ｓ２６）。開弁継続時間ＴＭｏの計測は、閉弁していたバイパスバルブ５８が開弁されると開始される。ステップＳ２６では、開弁継続時間ＴＭｏの最新値が取得される。なお、開弁継続時間ＴＭｏは、バイパスバルブ５８が閉弁されると「０」にリセットされる。
【００４４】
そして、診断処理部１０２は、取得した開弁継続時間ＴＭｏが判定開弁継続時間ＴＭｏＴｈを越えているか否かを判定する（Ｓ２７）。判定開弁継続時間ＴＭｏＴｈは、バイパスバルブ５８の開弁によって、図４に示したように圧力検出値Ｐｐｓｖがピーク値を越えているか否かの判断基準として設定されている。判定開弁継続時間ＴＭｏＴｈは、ブローバイガス管６１内の容積が大きいほど大きい値に設定されている。そのため、開弁継続時間ＴＭｏが判定開弁継続時間ＴＭｏＴｈを越えている場合は、圧力検出値Ｐｐｓｖがピーク値を既に越えており、圧力検出値Ｐｐｓｖが低下傾向を示していると判定する。一方、開弁継続時間ＴＭｏが判定開弁継続時間ＴＭｏＴｈ以下である場合は、圧力検出値Ｐｐｓｖがピーク値を未だ越えておらず、圧力検出値Ｐｐｓｖが未だ高くなる可能性があると判定する。
【００４５】
そして、開弁継続時間ＴＭｏが判定開弁継続時間ＴＭｏＴｈ以下である場合（Ｓ２７：ＮＯ）、診断処理部１０２は、バイパスバルブ５８が閉弁したか否かを判定する（Ｓ２８）。バイパスバルブ５８が閉弁した場合（Ｓ２８：ＹＥＳ）、診断処理部１０２は、基準圧力Ｐｂａｓｅ及び最大圧力Ｐｍａｘを「０」にリセットする（Ｓ２９）。その後、診断処理部１０２は、本処理ルーチンを一旦終了する。一方、バイパスバルブ５８が閉弁していない場合（Ｓ２８：ＮＯ）、バイパスバルブ５８が未だ開弁しているため、診断処理部１０２は、その処理を前述したステップＳ２４に移行する。こうしてバイパスバルブ５８が開弁継続時間ＴＭｏが判定開弁継続時間ＴＭｏＴｈを越えるまで最大圧力Ｐｍａｘの更新が繰り返される。
【００４６】
その一方で、ステップＳ２７において、開弁継続時間ＴＭｏが判定開弁継続時間ＴＭｏＴｈを越えている場合（ＹＥＳ）、診断処理部１０２は、算出した圧力上昇量ＤＰｐｓｖが判定上昇量ＤＰｐｓｖＴｈ未満であるか否かを判定する（Ｓ３０）。判定上昇量ＤＰｐｓｖＴｈは、バイパスバルブ５８の開弁によって圧力検出値Ｐｐｓｖが十分に上昇したか否かの判断基準として設定されている。
【００４７】
圧力上昇量ＤＰｐｓｖが判定上昇量ＤＰｐｓｖＴｈ未満である場合には、バイパスバルブ５８の開弁によって圧力検出値Ｐｐｓｖが十分に上昇したとの判定がなされない。すなわち、圧力検出値Ｐｐｓｖが十分に上昇しないということは、バイパスバルブ５８が開弁しても圧縮空気が配管継手６０内に到達していないことを意味する。このように圧縮空気が配管継手６０内に到達しない事象は、配管継手６０及び上流吸気管５１の少なくとも一方からブローバイガス管６１が外れているときに生じうる。したがって、圧力上昇量ＤＰｐｓｖが判定上昇量ＤＰｐｓｖＴｈ未満である場合には、配管継手６０及び上流吸気管５１の少なくとも一方からブローバイガス管６１が外れている可能性があると判断することができる。
【００４８】
そのため、圧力上昇量ＤＰｐｓｖが判定上昇量ＤＰｐｓｖＴｈ未満である場合（Ｓ３０：ＹＥＳ）、診断処理部１０２は、異常カウンタＣＮＴ１を「１」だけインクリメントする（Ｓ３１）。続いて、診断処理部１０２は、正常カウンタＣＮＴ２を「０」にリセットする（Ｓ３２）。そして、診断処理部１０２は、更新した異常カウンタＣＮＴ１がカウント判定値ＣＮＴＴｈ以上であるか否かを判定する（Ｓ３３）。本実施形態では、カウント判定値ＣＮＴＴｈは「２」以上の整数（例えば、５）に設定されている。
【００４９】
異常カウンタＣＮＴ１がカウント判定値ＣＮＴＴｈ未満である場合（Ｓ３３：ＮＯ）、診断処理部１０２は、その処理を後述するステップＳ３９に移行する。一方、異常カウンタＣＮＴ１がカウント判定値ＣＮＴＴｈ以上である場合（Ｓ３３：ＹＥＳ）、診断処理部１０２は、配管継手６０及び上流吸気管５１の少なくとも一方からブローバイガス管６１が外れていると診断する（Ｓ３４）。すなわち、診断処理部１０２は、異常であると診断する。その後、診断処理部１０２は、本処理ルーチンを一旦終了する。
【００５０】
その一方で、圧力上昇量ＤＰｐｓｖが判定上昇量ＤＰｐｓｖＴｈ以上である場合は、バイパスバルブ５８が開弁したことによって圧力検出値Ｐｐｓｖが十分に上昇したと判定する。すなわち、配管継手６０及び上流吸気管５１の少なくとも一方からブローバイガス管６１が外れている可能性があるとの判断がなされない。そのため、ステップＳ３０において、圧力上昇量ＤＰｐｓｖが判定上昇量ＤＰｐｓｖＴｈ以上である場合（ＮＯ）、診断処理部１０２は、正常カウンタＣＮＴ２を「１」だけインクリメントする（Ｓ３５）。続いて、診断処理部１０２は、異常カウンタＣＮＴ１を「０」にリセットする（Ｓ３６）。そして、診断処理部１０２は、正常カウンタＣＮＴ２がカウント判定値ＣＮＴＴｈ以上であるか否かを判定する（Ｓ３７）。
【００５１】
正常カウンタＣＮＴ２がカウント判定値ＣＮＴＴｈ未満である場合（Ｓ３７：ＮＯ）、診断処理部１０２は、その処理を後述するステップＳ３９に移行する。一方、正常カウンタＣＮＴ２がカウント判定値ＣＮＴＴｈ以上である場合（Ｓ３７：ＹＥＳ）、診断処理部１０２は、配管継手６０及び上流吸気管５１からブローバイガス管６１が外れていないと診断する（Ｓ３８）。すなわち、診断処理部１０２は、正常であると診断する。その後、診断処理部１０２は、本処理ルーチンを一旦終了する。
【００５２】
ステップＳ３９において、診断処理部１０２は、診断許可フラグＦＬＧにオフをセットする。続いて、診断処理部１０２は、基準圧力Ｐｂａｓｅ、最大圧力Ｐｍａｘ及び圧力上昇量ＤＰｐｓｖを「０」にリセットする（Ｓ４０）。その後、診断処理部１０２は、本処理ルーチンを一旦終了する。
【００５３】
次に、図８を参照し、本実施形態の作用及び効果について説明する。
図８に示す例では、閉弁継続時間ＴＭｃが判定閉弁継続時間ＴＭｃＴｈを越えているタイミングｔ２１でバイパスバルブ５８が開弁される。すると、下流吸気管５２内の圧縮空気が、バイパス管５７を介して上流吸気管５１内に還流する。タイミングｔ２１では、圧力差ΔＰが判定圧力差ΔＰＴｈよりも大きいこと、及び、過給大継続時間ＴＭｂが判定過給大継続時間ＴＭｂＴｈ以上であることの双方が既に成立している。すなわち、診断許可フラグＦＬＧにオンがセットされている。そのため、タイミングｔ２１からは、図６及び図７に示した処理ルーチンにおけるステップＳ２３以降の各処理が実施されるようになる。すなわち、開弁継続時間ＴＭｏが計測され、且つ、圧力上昇量ＤＰｐｓｖが算出される。この場合、タイミングｔ２１での圧力検出値Ｐｐｓｖが基準圧力Ｐｂａｓｅとして選択された上で、圧力上昇量ＤＰｐｓｖが算出される。
【００５４】
まず始めに、配管継手６０及び上流吸気管５１からブローバイガス管６１が外れていない場合の作用及び効果について説明する。なお、図８では、配管継手６０及び上流吸気管５１からブローバイガス管６１が外れていない場合における、圧力検出値Ｐｐｓｖの推移、圧力上昇量ＤＰｐｓｖの推移、正常カウンタＣＮＴ２の推移、及び異常カウンタＣＮＴ１の推移が実線で示されている。
【００５５】
タイミングｔ２１でバイパスバルブ５８が開弁されると、バイパス管５７を介して上流吸気管５１内に流入した圧縮空気が、第１の接続部５１１及びブローバイガス管６１を介して配管継手６０内にも流入する。これにより、配管継手６０内の圧力である圧力検出値Ｐｐｓｖが上昇する。そのため、最大圧力Ｐｍａｘが大きくなり、最大圧力Ｐｍａｘと基準圧力Ｐｂａｓｅとの差である圧力上昇量ＤＰｐｓｖが大きくなる。
【００５６】
本実施形態では、判定閉弁継続時間ＴＭｃＴｈがブローバイガス管６１内の容積に応じた値に設定されている。そのため、配管継手６０及び上流吸気管５１からブローバイガス管６１が外れていない場合、開弁継続時間ＴＭｏが判定開弁継続時間ＴＭｏＴｈに達しているときには、最大圧力Ｐｍａｘが十分に高くなっている。すなわち、圧力上昇量ＤＰｐｓｖが十分に大きくなっている。
【００５７】
ここで、判定開弁継続時間ＴＭｏＴｈが短いと、圧力検出値Ｐｐｓｖが未だ高くなるにも拘わらず、圧力上昇量ＤＰｐｓｖが判定上昇量ＤＰｐｓｖＴｈ以上であるか否かの判定が行われることになりうる。この場合、圧力上昇量ＤＰｐｓｖが十分に大きくなっておらず、圧力上昇量ＤＰｐｓｖが判定上昇量ＤＰｐｓｖＴｈ未満となってしまうおそれがある。
【００５８】
この点、本実施形態では、所定の許可条件が成立している状態であれば圧力検出値Ｐｐｓｖがピーク値を越えた以降に開弁継続時間ＴＭｏが判定開弁継続時間ＴＭｏＴｈに達するように、開弁継続時間ＴＭｏが設定されている。したがって、配管継手６０及び上流吸気管５１からブローバイガス管６１が外れていない場合、開弁継続時間ＴＭｏが判定閉弁継続時間ＴＭｃＴｈに達した時点で、圧力上昇量ＤＰｐｓｖが判定上昇量ＤＰｐｓｖＴｈ未満である状態になりにくい。
【００５９】
そして、このように圧力上昇量ＤＰｐｓｖが判定上昇量ＤＰｐｓｖＴｈ以上である場合、正常カウンタＣＮＴ２が「１」だけインクリメントされる。タイミングｔ２２では、正常カウンタＣＮＴ２がカウント判定値ＣＮＴＴｈ未満であるため、配管継手６０及び上流吸気管５１からブローバイガス管６１が外れていないとの診断が未だなされない。なお、このように正常カウンタＣＮＴ２が更新されると、基準圧力Ｐｂａｓｅ、最大圧力Ｐｍａｘ及び圧力上昇量ＤＰｐｓｖが「０」にリセットされる。また、診断許可フラグＦＬＧにオフがセットされる。
【００６０】
そして、その後のタイミングｔ２３でバイパスバルブ５８が閉弁される。すると、タイミングｔ２３からは、閉弁継続時間ＴＭｃの計測が開始される。
図８に示す例では、その後において閉弁継続時間ＴＭｃが判定閉弁継続時間ＴＭｃＴｈよりも長くなっている状況下のタイミングｔ２４で、バイパスバルブ５８が開弁される。タイミングｔ２４では、圧力差ΔＰが判定圧力差ΔＰＴｈよりも大きいこと、及び、過給大継続時間ＴＭｂが判定過給大継続時間ＴＭｂＴｈ以上であることの双方が既に成立しており、診断許可フラグＦＬＧにオンがセットされている。そのため、タイミングｔ２４からは、図６及び図７に示した処理ルーチンにおけるステップＳ２３以降の各処理が実施されるようになる。ここでも圧力検出値Ｐｐｓｖが上昇して最大圧力Ｐｍａｘが大きくなると、圧力上昇量ＤＰｐｓｖが大きくなる。そして、開弁継続時間ＴＭｏが判定閉弁継続時間ＴＭｃＴｈに達するタイミングｔ２５では、圧力上昇量ＤＰｐｓｖが判定上昇量ＤＰｐｓｖＴｈ以上となっているため、正常カウンタＣＮＴ２が「１」だけインクリメントされる。タイミングｔ２５では、正常カウンタＣＮＴ２がカウント判定値ＣＮＴＴｈ以上であるため、配管継手６０及び上流吸気管５１からブローバイガス管６１が外れていないと診断される。すなわち、本実施形態によれば、圧力上昇量ＤＰｐｓｖが判定上昇量ＤＰｐｓｖＴｈ以上になることを条件に、配管継手６０及び上流吸気管５１からブローバイガス管６１が外れていないと診断、すなわち正常であると診断することができる。
【００６１】
次に、配管継手６０及び上流吸気管５１の少なくとも一方からブローバイガス管６１が外れている場合の作用及び効果について説明する。なお、図８では、配管継手６０及び上流吸気管５１の少なくとも一方からブローバイガス管６１が外れている場合における、圧力検出値Ｐｐｓｖの推移、圧力上昇量ＤＰｐｓｖの推移、正常カウンタＣＮＴ２の推移、及び異常カウンタＣＮＴ１の推移が破線で示されている。
【００６２】
タイミングｔ２１でバイパスバルブ５８が開弁されると、バイパス管５７を介して上流吸気管５１内に流入した圧縮空気が第１の接続部５１１内にも流入する。この場合、配管継手６０及び上流吸気管５１の少なくとも一方からブローバイガス管６１が外れているため、第１の接続部５１１内に流入した圧縮空気は、配管継手６０内には到達しない。そのため、バイパスバルブ５８が開弁されても、圧力検出値Ｐｐｓｖがほとんど上昇しない。
【００６３】
図８に示す例では、タイミングｔ２１では診断許可フラグＦＬＧにオンがセットされているため、タイミングｔ２１からは、図６及び図７に示した処理ルーチンにおけるステップＳ２３以降の各処理が実施されるようになる。この場合、バイパスバルブ５８が開弁されても、圧力検出値Ｐｐｓｖがほとんど上昇しないため、最大圧力Ｐｍａｘが大きくならない。すなわち、圧力上昇量ＤＰｐｓｖが大きくならない。その結果、開弁継続時間ＴＭｏが判定閉弁継続時間ＴＭｃＴｈに達するタイミングｔ２２では、圧力上昇量ＤＰｐｓｖが判定上昇量ＤＰｐｓｖＴｈ未満であるため、異常カウンタＣＮＴ１が「１」だけインクリメントされる。タイミングｔ２２では、異常カウンタＣＮＴ１がカウント判定値ＣＮＴＴｈ未満であるため、配管継手６０及び上流吸気管５１の少なくとも一方からブローバイガス管６１が外れているとの診断が未だなされない。なお、このように異常カウンタＣＮＴ１が更新されると、基準圧力Ｐｂａｓｅ、最大圧力Ｐｍａｘ及び圧力上昇量ＤＰｐｓｖが「０」にリセットされる。また、診断許可フラグＦＬＧにオフがセットされる。
【００６４】
そして、その後のタイミングｔ２３でバイパスバルブ５８が閉弁される。すると、タイミングｔ２３からは、閉弁継続時間ＴＭｃの計測が開始される。
図８に示す例では、その後のタイミングｔ２４で、バイパスバルブ５８が開弁される。タイミングｔ２４では、診断許可フラグＦＬＧにオンがセットされている。そのため、図６及び図７に示した処理ルーチンにおけるステップＳ２３以降の各処理が実施されるようになる。ここでも圧力検出値Ｐｐｓｖがほとんど上昇せず、最大圧力Ｐｍａｘが大きくならない。その結果、開弁継続時間ＴＭｏが判定閉弁継続時間ＴＭｃＴｈに達するタイミングｔ２５では、圧力上昇量ＤＰｐｓｖが判定上昇量ＤＰｐｓｖＴｈ未満である。そのため、異常カウンタＣＮＴ１が「１」だけインクリメントされる。タイミングｔ２５では、異常カウンタＣＮＴ１がカウント判定値ＣＮＴＴｈ以上となるため、配管継手６０及び上流吸気管５１の少なくとも一方からブローバイガス管６１が外れていると診断される。すなわち、本実施形態によれば、圧力上昇量ＤＰｐｓｖが判定上昇量ＤＰｐｓｖＴｈ未満であることを条件に、配管継手６０及び上流吸気管５１の少なくとも一方からブローバイガス管６１が外れていると診断、すなわち異常であると診断することができる。
【００６５】
本実施形態では、上流吸気管５１内と第１の接続部５１１内とを連通する連通部位５１３と、上流吸気管５１内と第２の接続部５１２内とを連通する連通部位５１４とが互いに対向している。そのため、配管継手６０及び上流吸気管５１からブローバイガス管６１が外れていない場合にはバイパスバルブ５８の開弁を契機に圧力上昇量ＤＰｐｓｖが大幅に上昇するのに対し、配管継手６０及び上流吸気管５１の少なくとも一方からブローバイガス管６１が外れている場合にはバイパスバルブ５８を開弁させても圧力上昇量ＤＰｐｓｖがほとんど上昇しない。つまり、配管継手６０及び上流吸気管５１の少なくとも一方からブローバイガス管６１が外れているか否かによって、バイパスバルブ５８の開弁に伴う圧力検出値Ｐｐｓｖの上昇態様が大きく異なる。本実施形態では、こうしたバイパスバルブ５８の開弁に伴う圧力検出値Ｐｐｓｖの上昇態様を利用して上記診断が実施される。したがって、圧力センサ８１として分解能の低いセンサを採用したとしても、上記診断を精度良く実施することができる。
【００６６】
なお、本実施形態では、上記の効果に加え、以下に示す効果をさらに得ることができる。
（１）圧力差ΔＰが判定圧力差ΔＰＴｈ以上であることを条件に、図６及び図７に示した処理ルーチンにおけるステップＳ２３以降の各処理が実施される。そのため、ブローバイガス管６１が配管継手６０及び上流吸気管５１から外れていない場合にバイパスバルブ５８の開弁に伴う圧力上昇量ＤＰｐｓｖが大きくなりやすい状況下で、ステップＳ２３以降の各処理が実施される。したがって、配管継手６０及び上流吸気管５１の少なくとも一方からブローバイガス管６１が外れていると誤って診断されることの抑制効果を高くすることができる。
【００６７】
（２）閉弁継続時間ＴＭｃが判定閉弁継続時間ＴＭｃＴｈ以上である場合には、配管継手６０内の圧力、すなわち圧力検出値Ｐｐｓｖが安定したと判断することができる。そのため、閉弁継続時間ＴＭｃが判定閉弁継続時間ＴＭｃＴｈ以上であることを条件に図６及び図７に示した処理ルーチンにおけるステップＳ２３以降の各処理を実施することにより、配管継手６０及び上流吸気管５１からブローバイガス管６１が外れていない場合には圧力上昇量ＤＰｐｓｖが十分に大きくなる。したがって、配管継手６０及び上流吸気管５１の少なくとも一方からブローバイガス管６１が外れていると誤って診断されることの抑制効果を高くすることができる。
【００６８】
（３）本実施形態では、第１の接続部５１１は、クランクケース２３よりもヘッドカバー２７の近くに配置されており、ブローバイガス管６１は、配管継手６０を介してヘッドカバー２７に接続されている。そのため、ブローバイガス管６１が配管継手６０を介してクランクケース２３に接続される場合と比較し、ブローバイガス管６１の長さを短くすることができる。すなわち、ブローバイガス管６１内の容積が大きくなることを抑制できる。その結果、判定閉弁継続時間ＴＭｃＴｈが長くなることを抑制できる。したがって、上記診断に要する時間が長くなることを抑制できる。
【００６９】
上記実施形態は、以下のように変更して実施することができる。上記実施形態及び以下の変更例は、技術的に矛盾しない範囲で互いに組み合わせて実施することができる。
・図５に示した処理ルーチンにおいて、圧力差ΔＰが判定圧力差ΔＰＴｈよりも大きいか否かの判定を省略してもよい。
【００７０】
・図５に示した処理ルーチンにおいて、閉弁継続時間ＴＭｃが判定閉弁継続時間ＴＭｃＴｈを越えているか否かの判定を省略してもよい。
・図５に示した処理ルーチンにおいて、過給大継続時間ＴＭｂが判定過給大継続時間ＴＭｂＴｈ以上であるか否かの判定を省略してもよい。
【００７１】
・上記実施形態では、開弁継続時間ＴＭｏが判定開弁継続時間ＴＭｏＴｈ以下である状況下でバイパスバルブ５８が閉弁したときには、基準圧力Ｐｂａｓｅ及び最大圧力Ｐｍａｘを「０」にリセットした上で図６及び図７に示した処理ルーチンの実行を一旦終了するようにしている。しかし、開弁継続時間ＴＭｏが判定開弁継続時間ＴＭｏＴｈ以下である状況下でバイパスバルブ５８が閉弁した場合であっても、圧力上昇量ＤＰｐｓｖが判定上昇量ＤＰｐｓｖＴｈ以上であるときには、図６及び図７に示した処理ルーチンの実行を継続して正常カウンタＣＮＴ２を「１」インクリメントするようにしてもよい。
【００７２】
・上記実施形態において、図６及び図７に示した処理ルーチンにおけるステップＳ３１〜Ｓ３３の各処理を省略してもよい。この場合、ステップＳ３０において、圧力上昇量ＤＰｐｓｖが判定上昇量ＤＰｐｓｖＴｈ未満であると判定されたときに、配管継手６０及び上流吸気管５１の少なくとも一方からブローバイガス管６１が外れていると診断されることとなる。
【００７３】
また、図６及び図７に示した処理ルーチンにおけるステップＳ３５〜Ｓ３７の各処理を省略してもよい。この場合、ステップＳ３０において、圧力上昇量ＤＰｐｓｖが判定上昇量ＤＰｐｓｖＴｈ以上であると判定されたときに、配管継手６０及び上流吸気管５１からブローバイガス管６１が外れていないと診断されることとなる。
【００７４】
・バイパスバルブ５８を開弁させて下流吸気管５２内の圧縮空気をバイパス管５７を介して上流吸気管５１内に流入させると、図４に示したように過給圧Ｐｂが低下する。そこで、バイパスバルブ５８の開弁によって過給圧Ｐｂが規定量以上低下しており、且つ、圧力上昇量ＤＰｐｓｖが判定上昇量ＤＰｐｓｖＴｈ未満であることを条件に、配管継手６０及び上流吸気管５１の少なくとも一方からブローバイガス管６１が外れていると診断するようにしてもよい。
【００７５】
・上流吸気管５１内と第１の接続部５１１内とを連通する連通部位５１３と、上流吸気管５１内と第２の接続部５１２内とを連通する連通部位５１４とが互いに対向している場合、上流吸気管５１の延伸方向における連通部位５１３と連通部位５１４との重複度合いが大きいほど、バイパスバルブ５８の開弁によってバイパス管５７内を流れた圧縮空気を第１の接続部５１１内に流入させやすい。すなわち、圧力検出値Ｐｐｓｖを上昇させやすい。また、連通部位５１３から連通部位５１４までの直線距離が短いほど、バイパスバルブ５８の開弁によってバイパス管５７内を流れた圧縮空気を第１の接続部５１１内に流入させやすい、すなわち圧力検出値Ｐｐｓｖを上昇させやすい。
【００７６】
言い換えると、連通部位５１３から連通部位５１４までの直線距離が長くない場合、連通部位５１３と連通部位５１４とが互いに対向しているのであれば、上流吸気管５１の延伸方向において連通部位５１３と連通部位５１４とが互いに重複しているため、バイパスバルブ５８の開弁によってバイパス管５７内を流れた圧縮空気を第１の接続部５１１内に流入させ、ひいては圧力検出値Ｐｐｓｖを上昇させることができると考えられる。
【００７７】
そこで、例えば図９に示すように、第１の接続部５１１の中心軸５１１ａと第２の接続部５１２の中心軸５１２ａとが多少ずれていてもよい。この場合であっても、上流吸気管５１の延伸方向において連通部位５１３と連通部位５１４とが互いに重複しているため、バイパスバルブ５８が開弁したときにバイパス管５７内を流れた圧縮空気を第１の接続部５１１内に流入させることができる、すなわち圧力検出値Ｐｐｓｖを上昇させることができる。そのため、上記実施形態と同様に、バイパスバルブ５８の開弁を契機に算出された圧力上昇量ＤＰｐｓｖを基に上記診断を行うことができる。
【００７８】
なお、図９に示した例では、第１の接続部５１１の中心軸５１１ａが第２の接続部５１２の中心軸５１２ａと平行になっている。この場合、第１の接続部５１１の中心軸５１１ａが第２の接続部５１２の中心軸５１２ａと平行でない場合と比較し、バイパスバルブ５８の開弁によってバイパス管５７内を流れた圧縮空気が第１の接続部５１１内に流入しやすい。
【００７９】
また、連通部位５１３と連通部位５１４とが互いに対向しているのであれば、上流吸気管５１の延伸方向において連通部位５１３と連通部位５１４とが互いに重複しているため、第１の接続部５１１の中心軸５１１ａが第２の接続部５１２の中心軸５１２ａと平行でなくてもよい。この場合であっても、上流吸気管５１の延伸方向において連通部位５１３と連通部位５１４とが互いに重複しているため、バイパスバルブ５８が開弁したときにバイパス管５７内を流れた圧縮空気を第１の接続部５１１内に流入させることができる、すなわち圧力検出値Ｐｐｓｖを上昇させることができる。そのため、上記実施形態と同様に、バイパスバルブ５８の開弁を契機に算出された圧力上昇量ＤＰｐｓｖを基に上記診断を行うことができる。
【００８０】
また、連通部位５１３と連通部位５１４とが互いに対向しているのであれば、連通部位５１３と連通部位５１４との間に上流吸気管５１の中心軸５１ａが位置していなくてもよい。この場合であっても、上流吸気管５１の延伸方向において連通部位５１３と連通部位５１４とが互いに重複しているため、バイパスバルブ５８の開弁によってバイパス管５７内を流れた圧縮空気を第１の接続部５１１内に流入させることができる、すなわち圧力検出値Ｐｐｓｖを上昇させることができる。そのため、上記実施形態と同様に、バイパスバルブ５８の開弁を契機に算出された圧力上昇量ＤＰｐｓｖを基に上記診断を行うことができる。
【００８１】
・バイパスバルブ５８の作動によってバイパス管５７内を介した上流吸気管５１内と下流吸気管５２との連通を許容したり、連通を遮断したりすることができるのであれば、バイパス管５７における下流吸気管５２側の端部とは異なる位置にバイパスバルブ５８を配置してもよい。例えば、バイパス管５７における上流吸気管５１側の端部内にバイパスバルブ５８を配置してもよいし、バイパス管５７内のうち、下流吸気管５２側の端部と上流吸気管５１側の端部との間の部位にバイパスバルブ５８を配置してもよい。
【００８２】
・内燃機関１０を、上流吸気管５１におけるブローバイガス管６１との接続部である第１の接続部５１１がヘッドカバー２７よりもクランクケース２３の近くに位置するように構成してもよい。
【００８３】
・内燃機関１０は、図１０に示すように、ブローバイガス管６１Ａが配管継手６０Ａを介してクランクケース２３に接続される構成であってもよい。この場合であっても、上記実施形態と同様の効果を得ることができる。さらに、第１の接続部５１１がヘッドカバー２７よりもクランクケース２３の近くに位置するように吸気系５０が構成されている場合にあっては、ブローバイガス管６１Ａ内の容積が大きくなることを抑制できる。
【００８４】
・過給器１１は、排気駆動式の過給器であってもよいし、機関駆動式の過給器であってもよい。
【符号の説明】
【００８５】
１０…内燃機関、１１…過給器、１１１…コンプレッサ、２３…クランクケース、２７…ヘッドカバー、５１…上流吸気管、５１１…第１の接続部、５１２…第２の接続部、５１３，５１４…連通部位、５２…下流吸気管、５７…バイパス管、５８…バイパスバルブ、６０，６０Ａ…配管継手、６１，６１Ａ…ブローバイガス管、８１…圧力センサ、１０２…診断処理部、１０３…許可判定部。
【図１】
2019196741.tif 000003
【図２】
2019196741.tif 000004
【図３】
2019196741.tif 000005
【図４】
2019196741.tif 000006
【図５】
2019196741.tif 000007
【図６】
2019196741.tif 000008
【図７】
2019196741.tif 000009
【図８】
2019196741.tif 000010
【図９】
2019196741.tif 000011
【図１０】
2019196741.tif 000012